(57)【要約】【課題】袋の開口部から底部まで広げた状態を保持して物品を収納しやすいトートバッグを提供する。【解決手段】本発明は、底部６と、一対のマチ部４と、一対の持ち手部８と、上部に持ち手部８が設けられて、左右に一対のマチ部４がそれぞれ縫合され、下部に底部６が縫合された一対の本体部２と、可塑性変形線状体１２，１４，１６とを備え、上部に開口部１０を有するトートバッグ１であって、可塑性変形線状体１２，１４，１６が、開口部１０、本体部２とマチ部４との縫合部分および本体部２と底部６との縫合部分に沿って設けられている。【選択図】図２
2014161559.tif 000002
【特許請求の範囲】
【請求項１】
底部と、一対のマチ部と、一対の持ち手部と、上部に前記持ち手部が設けられて、左右に前記一対のマチ部がそれぞれ縫合され、下部に前記底部が縫合された一対の本体部と、可塑性変形線状体とを備え、上部に開口部を有するトートバッグであって、
前記可塑性変形線状体が、前記開口部、前記本体部と前記マチ部との縫合部分および前記本体部と前記底部との縫合部分に沿って設けられている、トートバッグ。
【請求項２】
前記本体部とその左右の一対のマチ部との縫合部分に沿って設けられた前記可塑性変形線状体、およびその本体部とその下部の前記底部との縫合部分に沿って設けられた可塑性変形線状体が一本の可塑性変形線状体から構成される、請求項１に記載のトートバッグ。
【請求項３】
前記本体部と前記マチ部との縫合部分に沿って設けられた前記可塑性変形線状体は、前記本体部と前記マチ部との縫合部分の縫い代部分に取り付けられ、
前記本体部と前記底部との縫合部分に沿って設けられた前記可塑性変形線状体は、前記本体部と前記底部との縫合部分の縫い代部分に取り付けられた、請求項１または２に記載のトートバッグ。
【請求項４】
前記可塑性変形線状体はポリオレフィンを主成分とする樹脂からなる、請求項１〜３のいずれか１項に記載のトートバッグ。
【発明の詳細な説明】
【技術分野】
【０００１】
本発明はトートバッグに関する。
【背景技術】
【０００２】
一定温度で溶解可能な合成樹脂製テープ状シートの一面に金属製又は紙製の芯材を接着剤で粘着し一体化してなるテープ状シートの接着剤を粘着している接着面を袋口に接着し、テープ状シートにより形状保持が容易な線状もしくは網状にした芯材を袋口の周囲もしくはその一部に被覆することにより、袋口の開口状態を保持して片手でも袋の中に収納しやすくし、もしくは袋口を閉じる場合には袋口は閉じた状態を保持する事が出来る袋口を有することを特徴としている袋口形状の保持可能な収納袋が従来技術として知られている（たとえば特許文献１）。この収納袋を使用すると、袋口の開口部を開口状態に保持して片手でも袋の中に収納しやすく、便利である。
【先行技術文献】
【特許文献】
【０００３】
【特許文献１】特開平１０−２５８８４７号公報
【発明の概要】
【発明が解決しようとする課題】
【０００４】
特許文献１に記載されているような従来の収納袋に比べて、さらに収納しやすい、袋口の開口部を開口状態に保持できるトートバッグが望まれている。
【課題を解決するための手段】
【０００５】
本発明は、上記課題を解決するため、以下の構成を採用した。
すなわち、本発明は、底部と、一対のマチ部と、一対の持ち手部と、上部に持ち手部が設けられて、左右に一対のマチ部がそれぞれ縫合され、下部に底部が縫合された一対の本体部と、可塑性変形線状体とを備え、上部に開口部を有するトートバッグであって、可塑性変形線状体が、開口部、本体部とマチ部との縫合部分および本体部と底部との縫合部分に沿って設けられている。
【発明の効果】
【０００６】
本発明によれば、袋の開口部から底部まで広げた状態を保持して物品を収納しやすいトートバッグを提供することができる。
【図面の簡単な説明】
【０００７】
【図１】図１は、本発明の一実施形態におけるトートバッグの斜視図である。
【図２】図２は、本発明の一実施形態におけるトートバッグの展開図である。
【図３】図３は、図１に示す本発明の一実施形態におけるトートバッグの符号３０の箇所の断面図である。
【発明を実施するための形態】
【０００８】
図１および図２を参照して本発明の一実施形態におけるトートバッグ１を説明する。図１はトートバッグの斜視図であり、図２は、トートバッグ１の展開図である。図１において、Ｘ方向が左右方向であり、Ｙ方向が上下方向である。
【０００９】
図１および図２に示すように、トートバッグ１は、一対の本体部２と一対のマチ部４と底部６とを備える。本体部２はトートバッグ１の主要面を構成し、マチ部４は、トートバッグ１のマチの部分を構成し、底部６はトートバッグ１の底の部分を構成する。本体部２、マチ部４および底部６は、たとえば、略矩形形状を有する。
【００１０】
一対の本体部２の上部には持ち手部８がそれぞれ設けられている。また、本体部２の左右には一対のマチ部４がそれぞれ縫合されている。さらに本体部２の下部には底部６が縫合されている。また、マチ部４の下部には底部６が縫合されている。これにより、トートバッグ１の略直方体の形状が形成される。なお、マチ部４と底部６とを一枚の生地で構成するようにしてもよい。この場合、マチ部４の下部を底部６に縫合する必要はない。トートバッグ１は開口部１０を上部に有する。トートバッグ１は、たとえば、丈夫なキャンバス生地や軽いナイロン地などで作製される。
【００１１】
トートバッグ１は、さらに可塑性変形線状体１２，１４，１６を備える。本明細書では、可塑性とは、可塑性変形線状体１２，１４，１６に外力を加えて変形させた後、力を取り去っても元の形状に戻らない性質をいう。また、本明細書では、可塑性が高いとは、可塑性変形線状体１２，１４，１６における、外力を加えて変形させた形状を保持させる能力が高いことをいう。
【００１２】
可塑性変形線状体１２，１４，１６は可塑性を有する線状体であればとくに限定されない。しかし、可塑性変形線状体１２，１４，１６は樹脂からなるものが好ましい。これにより、可塑性変形線状体１２，１４，１６は、水に濡れてもさびず、金属疲労により折れることもない。可塑性変形線状体１２，１４，１６に好ましい、樹脂からなる可塑性変形線状体には、たとえば、特開昭６１−２８２４１６号公報に開示されている、ポリエチレンを強く圧縮延伸したプラスチックワイヤーや、特開平２−２９３４０７号公報に開示されている、ポリオレフィンを強く圧縮延伸したプラスチックワイヤーや、特開平７−２３８４１７号公報に開示されているポリエチレン溶融固化物またはそのポリエチレンと他のポリオレフィンとの混合溶解固化物を延伸して可塑性が付与された延伸物などがある。可塑性が高いことから、可塑性変形線状体１２，１４，１６は、ポリオレフィンを主成分とする樹脂からなることが好ましい。
【００１３】
可塑性変形線状体１２は、トートバッグ１の開口部１０に沿って設けられている。これにより、開口部１０が広げられた状態を保持することができる。
【００１４】
また、可塑性変形線状体１４は、本体部２とマチ部４との縫合部分２０に沿って設けられている。これにより、トートバッグ１は自立しやすくなる。
【００１５】
さらに、可塑性変形線状体１６は、本体部２と底部６との縫合部分に沿って設けられている。これにより、底部６が広げられた状態を保持することができる。
【００１６】
トートバッグ１の開口部１０に沿って設けられ可塑性変形線状体１２、本体部２とマチ部４との縫合部分２０に沿って設けられた可塑性変形線状体１４および本体部２と底部６との縫合部分に沿って設けられた可塑性変形線状体１６が組み合わさることによって、袋の開口部のみならず、袋の開口部から底部まで広げた状態が保持され、トートバッグ１に物品を収納しやくなる。
【００１７】
また、開口部１０、本体部２とマチ部４との縫合部分および本体部２と底部６との縫合部分は、本体部２の中央近傍に比べて着用者の体が強く当たらない部分であり、堅くなっても使い心地に影響をあまり与えない部分である。したがって、可塑性変形線状体１２，１４，１６が、開口部１０、本体部２とマチ部４との縫合部分および本体部２と底部６との縫合部分に沿って設けられても、トートバッグの使い心地は良好になる。さらに、開口部、本体部とマチ部との縫合部分および本体部と底部との縫合部分は、可塑性変形線状体を設けなくてもトートバッグがもともと堅くなっている部分であるので、可塑性変形線状体を設けていないトートバッグと同じような良好な使い心地で、違和感なく可塑性変形線状体１２，１４，１６を設けたトートバッグ１を使用することができる。また、折り畳んだトートバッグ１を略直方体の形状に容易に戻すことができる。
【００１８】
本体部２とその左右の一対のマチ部４との縫合部分に沿って設けられた可塑性変形線状体１４、およびその本体部２とその下部の底部６との縫合部分に沿って設けられた可塑性変形線状体１６が一本の可塑性変形線状体から構成されることが好ましい。これにより、本体部２の底部側の角において、本体部２が広がった状態を保持することができる。また、本体部２とその左右の一対のマチ部４との縫合部分に沿って設けられた可塑性変形線状体１４、およびその本体部２とその下部の底部６との縫合部分に沿って設けられた可塑性変形線状体１６は、完全に一体化しているので、トートバッグ１の開口部１０から底部６まで広げた状態をさらに保持することができる。さらに、一本の可塑性変形線状体から三本の可塑性変形線状体１４，１６に切断する工程が不要になる。また、折り畳んだトートバック１の本体部２を容易に拡張することができ、折り目やしわのない本体部２に容易に戻すことができる。
【００１９】
次に、図３を参照して、可塑性変形線状体の取付状態を説明する。図３は、図１に示すトートバッグの符号３０の箇所の断面図である。
【００２０】
本体部２とマチ部４とは符号２０の箇所で縫合され、縫い代部分１８が形成される。本体部２とマチ部４との縫合部分に沿って設けられた可塑性変形線状体１２は、この縫い代部分１８に縫合により取り付けられる（符号２２は縫合部分を示す）。同様に、本体部２と底部６との縫合部分に沿って設けられた可塑性変形線状体１４も、本体部２と底部６との縫い代部分に縫合により取り付けられる。これにより、本体部２とマチ部４との縫合部分に沿って可塑性変形線状体１２を容易に設けることができ、本体部２と底部６との縫い代部分に沿って、可塑性変形線状体１４を容易に設けることができる。
【００２１】
以上の本発明の一実施形態によるトートバッグ１は、次のような作用効果を奏する。
（１）底部６と、一対のマチ部４と、一対の持ち手部８と、上部に持ち手部８が設けられて、左右に一対のマチ部４がそれぞれ縫合され、下部に底部６が縫合された一対の本体部２と、可塑性変形線状体１２，１４，１６とを備え、上部に開口部１０を有するトートバッグ１であって、可塑性変形線状体１２，１４，１６が、開口部１０、本体部２とマチ部４との縫合部分および本体部２と底部６との縫合部分に沿って設けられているようにした。これにより、袋の開口部のみならず、袋の開口部から底部まで広げた状態を保持して物品を収納しやすいトートバッグ１を提供することができる。
【００２２】
（２）本体部２とその左右の一対のマチ部４との縫合部分に沿って設けられた可塑性変形線状体１４、およびその本体部２とその下部の底部６との縫合部分に沿って設けられた可塑性変形線状体１６が一本の可塑性変形線状体から構成されるようにした。これにより、本体部２の底部側の角において、本体部２が広がった状態を保持することができる。
【００２３】
（３）本体部２とマチ部４との縫合部分に沿って設けられた可塑性変形線状体１４は、本体部２とマチ部４との縫合部分２０の縫い代部分１８に取り付けられ、本体部２と底部６との縫合部分に沿って設けられた可塑性変形線状体１６は、本体部２と底部６との縫合部分の縫い代部分に取り付けられるようにした。これにより、本体部２とマチ部４との縫合部分に沿って可塑性変形線状体１２を容易に設けることができ、本体部２と底部６との縫い代部分に沿って、可塑性変形線状体１４を容易に設けることができる。
【００２４】
（４）可塑性変形線状体１２，１４，１６はポリオレフィンを主成分とする樹脂からなるようにした。これにより、可塑性変形線状体１２，１４，１６は、さびず、金属疲労により折れることもないようにできるとともに、可塑性変形線状体１２，１４，１６の可塑性を高くすることができる。
【００２５】
以上の説明はあくまで一例であり、本発明は上記実施形態の構成になんら限定されるものではない。
【符号の説明】
【００２６】
１    トートバッグ
２    本体部
４    マチ部
６    底部
８    持ち手部
１０    開口部
１２，１４，１６    可塑性変形線状体
１８    縫い代
２０，２２    縫合部分
【図１】
2014161559.tif 000003
【図２】
2014161559.tif 000004
【図３】
2014161559.tif 000005